(57)【特許請求の範囲】
【請求項１】
円筒状の基部と、該基部内に回動自在に設けられた円柱状の弁体と、該弁体の回動方向へ９０°間隔で前記基部から三方に延出する３つの分岐管とを備え、該弁体に、その回動により各分岐管同士を選択的に連通させる切換路が形成された三方活栓において、
前記３つの分岐管は、前記弁体の回動方向へ順番に第１導入管、導出管及び第２導入管とされ、
前記切換路は、前記弁体を直線状に貫通する貫通孔と、前記貫通孔の一端の位置から該位置より前記弁体の回動方向へ所定角度範囲にわたり前記弁体の周部に延設される周溝とによって構成され、
前記所定角度範囲は、前記貫通孔の両端部が前記第１導入管と前記第２導入管とに連通しているときに、前記周溝の両端部が前記第１導入管及び前記第２導入管のいずれかと前記導出管とに連通する角度範囲となっていることを特徴とする三方活栓。
【発明の詳細な説明】
【技術分野】
【０００１】
本発明は、３つの分岐管の連通を選択的に切換える三方活栓に関する。
【背景技術】
【０００２】
三方活栓は、医療の分野において点滴等を行う際に使用されており、２つの分岐管から供給される薬液等を他の１つの分岐管に交互にあるいは同時に供給するものである。従来、この種の三方活栓は、３つの分岐管が円筒状の基部から基部の周方向へ９０゜間隔で外方に延出している。基部内には円柱状の弁体が基部の周方向を回動方向として回動自在に設けられており、弁体にはＴ字形の切換路が形成されている。そして、この弁体を回動させることにより切換路を介して各分岐管同士を選択的に連通させることができるようになっている（例：特許文献１図４）。
【０００３】
その場合、Ｔ字形切換路の−部分（“Ｔ”を頂部の“−”と柱の“Ｉ”とに分解して考える。）の両端が、第１分岐管と第３分岐管（基部の周方向へ第１、第２、第３分岐管の順に配置されているとする。）へ接続され、Ｔ字形切換路のＩ部分の先端が第２分岐管とは反対側の閉塞部へ向けられている回動位置では、すなわち、第３分岐管へは第１分岐管からの液のみを供給する切換位置では、切換路のＩ部分が閉塞空間（デッドスペース）になり、該閉塞空間に薬液等が滞留する不都合が生じる（例：特許文献２図５（ｂ））。
【０００４】
また、Ｔ字形切換路のＩ部分の先端が第３分岐管へ接続され、Ｔ字形切換路の−部分の一端が第２分岐管へ接続され、Ｔ字形切換路の−部分の他端が第２分岐管とは反対側の閉塞部へ向けられている回動位置では、すなわち、第３分岐管へは第２分岐管からの液のみを供給する切換位置では、切換路の−部分の他端側半部が閉塞空間になり、該閉塞空間に薬液等が滞留する不都合が生じる（例：特許文献２図５（ｃ））。
【０００５】
特許文献２はこれに対処する三方活栓を開示し、該三方活栓では、切換路が、弁体を貫通する直線貫通孔と、弁体の一方の半周部に周方向へ半周するように延設されて両端において管通孔の両端へ連通する半周溝とによって構成されている。該三方活栓では、弁体のどの切換位置においても、液が半周溝を通過するので、切換路内に閉塞空間が生じないようになっている（特許文献２図４）。
【先行技術文献】
【特許文献】
【０００６】
【特許文献１】実開平６−４４５５４号公報
【特許文献２】特開２００９−７７８７９号公報
【発明の概要】
【発明が解決しようとする課題】
【０００７】
特許文献２の三方活栓では、弁体の切換路には液の滞留空間が生じないものの、その図４（ａ）において第２分岐管として第２導入管としてのからの液供給が終了した場合、第２導入管内の残存液の一部が滞留するおそれがある。
【０００８】
本発明の目的は、一方の導入管のみから導出管に液を送る際に他方の導入管内の液を導出管に流出させることができる三方活栓を提供することである。
【課題を解決するための手段】
【０００９】
本発明は、円筒状の基部と、該基部内に回動自在に設けられた円柱状の弁体と、該弁体の回動方向へ９０°間隔で前記基部から三方に延出する３つの分岐管とを備え、該弁体に、その回動により各分岐管同士を選択的に連通させる切換路が形成された三方活栓において、前記３つの分岐管は、前記弁体の回動方向へ順番に第１導入管、導出管及び第２導入管とされ、前記切換路は、前記弁体を直線状に貫通する貫通孔と、前記貫通孔の一端の位置から該位置より前記弁体の回動方向へ所定角度範囲にわたり前記弁体の周部に延設される周溝とによって構成され、前記所定角度範囲は、前記貫通孔の両端部が前記第１導入管と前記第２導入管とに連通しているときに、前記周溝の両端部が前記第１導入管及び前記第２導入管のいずれかと前記導出管とに連通する角度範囲となっていることを特徴とする。
【００１０】
本発明によれば、直線状の貫通孔が両端において第１及び第２導入管に接続される切換位置では、第１導入管の液としての一方の液は、弁体の貫通孔が直線状のために、該貫通孔を所定の勢いを保持しつつ通過して、第２導入管内へ十分深く流入し、第２導入管内の他方の液と混合する。そして、混合液が弁体の周溝を介して導出管へ流入する。したがって、第２導入管内への他方の液の供給が停止した場合には、一方の液が第２導入管内に残存する他方の液を、周溝を介して導出管に流出させることができる。
【図面の簡単な説明】
【００１１】
【図１】三方活栓の平面図。
【図２】図１のII−II線断面図。
【図３】図１のIII−III線断面図。
【図４】三方活栓の第１切換位置における主要部の横断面図。
【図５】三方活栓の第２切換位置における主要部の横断面図。
【図６】三方活栓の第３切換位置における主要部の横断面図。
【発明を実施するための形態】
【００１２】
本実施形態の三方活栓１０は、図１に示すように、円筒状の基部１２と、基部１２の周方向へ９０°間隔で基部１２から三方に延出する３つの分岐管とを備えている。これら３つの分岐管は、三方活栓１０の図１の平面図において反時計方向へ順番に第１導入管１３、導出管１４及び第２導入管１５となっている。導入側の第１導入管１３及び第２導入管１５は雌コネクタ型とされ、導出側の導出管１４は雄コネクタ型とされる。なお、第２導入管１５は、内部にゴム製のバルブを内蔵し、該バルブは、第２導入管１５へのシリンジの取付け及び取り外しに伴い自動的に開閉する。
【００１３】
図１及び図２に示すように、円柱状の弁体１７は、上部に三つ股のレバー１６を備え、基部１２に回動自在に挿設されている。なお、弁体１７の回動方向は基部１２の周方向と同一である。
【００１４】
図２及び図３において、切換路１８は、貫通孔１８ａと周溝１８ｂとによって構成され、弁体１７に形成されている。貫通孔１８ａは弁体１７の中心線に対して直交する直線で弁体１７を貫通する。周溝１８ｂは、弁体１７の回動方向へ９０°の範囲にわたり弁体１７の周部に延在しており、一端は貫通孔１８ａの一端に連通し、他端は弁体１７の回動方向へ貫通孔１８ａの両端から９０°離間した位置となっている。典型的には、貫通孔１８ａは円形横断面であり、周溝１８ｂは半円横断面である。なお、貫通孔１８ａ及び周溝１８ｂの流通断面積は、貫通孔１８ａの直径、並びに周溝１８ｂの深さ及び幅により適宜調整することができる。
【００１５】
弁体１７は、レバー１６の回動操作に伴って、基部１２に対して相対回転し、第１切換位置（図４）、第２切換位置（図５）又は第３切換位置（図６）へ切換えられる。なお、図１に示すように、三つ股のレバー１６の各アーム部１６ａ〜１６ｃには、その上面に連通方向を示す矢印表示１９が設けられている。
【００１６】
図１の矢印表示１９の状態は第１切換位置（図４）を示しており、第１導入管１３、導出管１４及び第２導入管１５はいずれかの矢印表示１９の向きと一致している。第１切換位置では、図４に示すように、切換路１８は第１導入管１３及び第２導入管１５を導出管１４へ接続している。
【００１７】
図１の矢印表示１９の状態からレバー１６を反時計方向へ９０°だけ回動させると、矢印表示１９の状態は第２切換位置（図５）を示し、導出管１４及び第２導入管１５はいずれかの矢印表示１９の向きと一致しているものの、第１導入管１３はいずれの矢印表示１９の向きとも一致しなくなる。第２切換位置では、切換路１８は第２導入管１５を導出管１４へ接続している。
【００１８】
図１の矢印表示１９の状態からレバー１６を時計方向へ９０°だけ回動させると、矢印表示１９の状態は第３切換位置（図６）を示し、第１導入管１３及び導出管１４はいずれかの矢印表示１９の向きと一致しているものの、第２導入管１５はいずれの矢印表示１９の向きとも一致しなくなる。第２切換位置では、切換路１８は第１導入管１３を導出管１４へ接続している。
【００１９】
三方活栓１０の作動について説明する。例えば、第１導入管１３へは可撓性管路を介して点滴等の薬液が導入され、導出管１４は可撓性管路を介して人体の腕の静脈へ刺す針へ接続され、第２導入管１５には、シリンジが接続されて、シリンジ内の他の薬液が投入される。
【００２０】
三方活栓１０の第１切換位置では、図４に示すように、切換路１８の貫通孔１８ａが第１導入管１３と第２導入管１５とに連通し、切換路１８の周溝１８ｂが導出管１４と第２導入管１５とに連通している。第１導入管１３からの第１薬液は、直線状の貫通孔１８ａを介して第２導入管１５へ導入される。その際、貫通孔１８ａが直線状である理由により、第１薬液は十分な勢いを保持して第２導入管１５へ導入され、第２導入管１５へ深く進入して、第２導入管１５において第２導入管１５からの第２薬液と混合する。そして、第１及び第２薬液の混合薬液が周溝１８ｂを介して導出管１４へ流入する。第１切換位置において、切換路１８には薬液の滞留空間（デッドスペース）は存在しない。
【００２１】
シリンジの第２薬液がなくなるのに伴い、シリンジから第２導入管１５への第２薬液の導入が途絶える。これに対し、第１薬液は、なおも、第１導入管１３内へ導入され続け、第１導入管１３からレバー１６の貫通孔１８ａを介して第２導入管１５へ進入する。その際、貫通孔１８ａが直線状である理由により、第１薬液は十分な勢いを保持して第２導入管１５へ導入され、第２導入管１５へ深く進入して、第２導入管１５内に残存中の第２薬液を効率的に取り込んで、周溝１８ｂを介して導出管１４へ流入する。したがって、第２導入管１５内に残存中の第２薬液は、第１薬液により導出管１４へ流れ、第２導入管１５内の残存が防止される。
【００２２】
三方活栓１０の第２切換位置では、図５に示すように、第１導入管１３は弁体１７の周部により閉鎖され、第２導入管１５は、周溝１８ｂ及び貫通孔１８ａを介して導出管１４へ連通状態となる。これにより、第２導入管１５の第２薬液のみが、周溝１８ｂから貫通孔１８ａを経て導出管１４へ流入する。第２切換位置において、切換路１８には薬液の滞留空間は存在しない。
【００２３】
三方活栓１０の第３切換位置では、図６に示すように、第１導入管１３は、周溝１８ｂを介して導出管１４へ連通状態となり、第２導入管１５は弁体１７の周部により閉鎖される。これにより、第１導入管１３の第１薬液のみが周溝１８ｂを経て導出管１４へ流入する。
【００２４】
なお、第１切換位置において、シリンジを取り外すと、第２導入管１５内のゴム製のバルブが自動的に閉止され、第２薬液が第２導入管１５から流出し、その後は、第１導入管１３の第１薬液のみが、貫通孔１８ａ、第２導入管１５及び周溝１８ｂを経て導出管１４内へ導入されることになる。その後、別のシリンジを第２導入管１５に装着するとともに、第３切換位置にしても、前回の第２液は第２導入管１５内に残っていないので、毎回、第２液を正確な投与量で投与することかできる。
【００２５】
以上のように、本実施形態の三方活栓１０によれば、弁体１７の切換路１８が、直線状の貫通孔１８ａと、弁体１７の回動方向へ貫通孔１８ａの一端から貫通孔１８ａの両端の中心点までの９０°の範囲にわたり弁体１７の周部に延設された周溝１８ｂとによって構成されたことにより、第２導入管１５への第２薬液の供給終了後、第２導入管１５内に残存しようとする第２薬液を第１薬液により第２導入管１５から円滑に除去することができる。
【符号の説明】
【００２６】
１１・・・三方活栓、１２・・・基部、１３・・・第１導入管（分岐管）、１４・・・導出管（分岐管）、１５・・・第２導入管（分岐管）、１７・・・弁体、１８・・・切換路、１８ａ・・・貫通孔、１８ｂ・・・周溝。
【図１】
0005782259.tif 000002
【図２】
0005782259.tif 000003
【図３】
0005782259.tif 000004
【図４】
0005782259.tif 000005
【図５】
0005782259.tif 000006
【図６】
0005782259.tif 000007